(57)【特許請求の範囲】
【請求項１】
２枚の金属板の間に芯材を介装したサンドイッチパネルの一方の端部に複数の嵌合凸部をパネル厚み方向に所定の間隔をおいて設けると共に、他方の端部に複数の嵌合凹部をパネル厚み方向に所定の間隔をおいて設け、隣接する２枚のサンドイッチパネルを前記嵌合凸部と前記嵌合凹部との嵌合により接続するサンドイッチパネルの接続構造において、
少なくとも１つの前記嵌合凹部の屋内側の側壁の屋外側面に係止用凸部を設け、
この嵌合凹部に嵌合する前記嵌合凸部の屋内側面に、この嵌合凹部が嵌合位置から屋外側にずれた際に前記係止用凸部が係止される被係止用凹部を設けたことを特徴とするサンドイッチパネルの接続構造。
【請求項２】
前記係止用凸部と前記被係止用凹部とは、前記嵌合凸部と前記嵌合凹部とが嵌合した前記嵌合位置において、サンドイッチパネルの厚み方向に離れた位置関係となるように形成されていることを特徴とする請求項１に記載のサンドイッチパネルの接続構造。
【請求項３】
複数の前記嵌合凸部のうち最も屋外側に位置する前記嵌合凸部の屋外側面に、この嵌合凸部が屋外側に倒れることを防止するための補強片を取り付けたことを特徴とする請求項１または請求項２に記載のサンドイッチパネルの接続構造。
【発明の詳細な説明】
【技術分野】
【０００１】
本発明は、外壁等の壁を形成する際に用いられるサンドイッチパネルの接続構造に関する。
【背景技術】
【０００２】
従来より、隣接する２枚のサンドイッチパネルを凹凸嵌合によって接続する接続構造が、提案されている。
【０００３】
例えば、上下に隣接する２枚のサンドイッチパネルを凹凸嵌合によって接続する接続構造が開示されている特許文献１では、サンドイッチパネルＰは、図５（ａ）に示すように、二枚の金属板１，２の間に芯材３を介装することによって形成されている。サンドイッチパネルＰの上端部には２つの嵌合凸部５がパネル厚み方向に所定の間隔をおいて設けられており、サンドイッチパネルＰの下端部には２つの嵌合凹部６がパネル厚み方向に所定の間隔をおいて設けられている。
【０００４】
上下に隣接する２枚のサンドイッチパネルＰ１，Ｐ２は、この２つの嵌合凸部５と２つの嵌合凹部６とをそれぞれ嵌合させることで接続される。
【先行技術文献】
【特許文献】
【０００５】
【特許文献１】特開２０１１−１２４０９号公報
【発明の概要】
【発明が解決しようとする課題】
【０００６】
しかし、上述のように凹凸嵌合によって接続したサンドイッチパネルＰ１，Ｐ２では、負の風荷重がかかった場合に、図５（ｂ）に示すように、上側のサンドイッチパネルＰ１の下端部が屋外側上方へと移動する方向に力がかかることがある。
【０００７】
この際、上側のサンドイッチパネルＰ１の嵌合凹部６の屋内側の側壁６３が、下側のサンドイッチパネルＰ２の嵌合凸部５を屋外側に押し倒しながら乗り越えて、２枚のサンドイッチパネルＰ１，Ｐ２の凹凸嵌合による接続が外れてしまうおそれがある。
【０００８】
そこで、上記事情を鑑みて、本発明は、負の風荷重がかかった場合でも、凹凸嵌合による接続が外れにくいサンドイッチパネルの接続構造を提案することを課題とする。
【課題を解決するための手段】
【０００９】
上記課題を解決するための本発明は、２枚の金属板の間に芯材を介装したサンドイッチパネルの一方の端部に複数の嵌合凸部をパネル厚み方向に所定の間隔をおいて設けると共に、他方の端部に複数の嵌合凹部をパネル厚み方向に所定の間隔をおいて設け、隣接する２枚のサンドイッチパネルを前記嵌合凸部と前記嵌合凹部との嵌合により接続するサンドイッチパネルの接続構造において、少なくとも１つの前記嵌合凹部の屋内側の側壁の屋外側面に係止用凸部を設け、この嵌合凹部に嵌合する前記嵌合凸部の屋内側面に、この嵌合凹部が嵌合位置から屋外側にずれた際に前記係止用凸部が係止される被係止用凹部を設けたことを特徴とする。
また、前記係止用凸部と前記被係止用凹部とは、前記嵌合凸部と前記嵌合凹部とが嵌合した前記嵌合位置において、サンドイッチパネルの厚み方向に離れた位置関係となるように形成されていることが好ましい。
【００１０】
また、複数の前記嵌合凸部のうち最も屋外側に位置する前記嵌合凸部の屋外側面に、この嵌合凸部が屋外側に倒れることを防止するための補強片を取り付けることが好ましい。
【発明の効果】
【００１１】
本発明のサンドイッチパネルの接続構造は、負の風荷重がかかった場合でも、凹凸嵌合による接続が外れにくい。
【図面の簡単な説明】
【００１２】
【図１】本発明の第一実施形態のサンドイッチパネルの接続構造を示す断面図である。
【図２】同上の接続構造で接続されたサンドイッチパネルに、負の風荷重がかかった状態を説明する説明図である。
【図３】（ａ）は本発明の第二実施形態のサンドイッチパネルの接続構造を示す断面図であり、（ｂ）は同上の接続構造に用いられる補強片を示す斜視図である。
【図４】（ａ）は本発明の第三実施形態のサンドイッチパネルの接続構造を示す断面図であり、（ｂ）は本発明の第四実施形態のサンドイッチパネルの接続構造を示す断面図である。
【図５】従来の接続構造で接続されたサンドイッチパネルを示し、（ａ）は嵌合凹部が嵌合凸部との嵌合位置にある状態の説明図であり、（ｂ）は負の風荷重がかかった状態の説明図である。
【発明を実施するための形態】
【００１３】
本発明を添付図面に示す実施形態に基づいて説明する。本実施形態のサンドイッチパネルＳは、外壁パネルなどの建材として用いられる。
【００１４】
第一実施形態のサンドイッチパネルＳは、図１に示すように、二枚の金属板１，２の間に芯材３を介在させ、この二枚の金属板１，２で芯材３を挟持することによって形成されている。二枚の金属板１，２はそれぞれ、接着剤を介して芯材３に取り付けられる。サンドイッチパネルＳは、一方の端部に複数の嵌合凸部５をパネル厚み方向に所定の間隔をおいて設けると共に他方の端部に複数の嵌合凹部６をパネル厚み方向に所定の間隔をおいて設けたものである。この嵌合凸部５と嵌合凹部６とを嵌合させることで隣接する２枚のサンドイッチパネルＳは接続される。サンドイッチパネルＳは、胴縁等の下地材１００に固定されて、外壁等の壁を形成する。なお、サンドイッチパネルＳは、嵌合凸部５と嵌合凹部６とを上下の端部に備えるものであってもよいし、あるいは、左右の端部に備えるものであってもよい。以下においては、嵌合凸部５を上端部に備え、嵌合凹部６を下端部に備えるサンドイッチパネルＳを一例として説明する。そして、図１に示す状態を基準とし、下地材１００に対してサンドイッチパネルＳが配置される側を屋外側とし、その逆側を屋内側とし、上下方向をサンドイッチパネルＳの幅方向とし、この幅方向に直交する方向をサンドイッチパネルＳの長さ方向として説明を行う。
【００１５】
金属板１，２は、厚みが０．２５〜１．６ｍｍ程度の薄板材である。金属板１，２としては、例えば、Ａｌ、Ｆｅ、Ｃｕ、ステンレス鋼等の各種金属板、アルミニウム−亜鉛合金メッキ鋼板、カラー鋼板、ホーロー鋼板、フッ素樹脂塗装鋼板、クラッド鋼板、サンドイッチ鋼板等の一種をプレス成形、押出成形、ロール成形等によって成形したものである。
【００１６】
サンドイッチパネルＳの屋外側の金属板１（以下「屋外側金属板１」という）は、図１に示すように、長さ方向の略全長に亘って一定の断面形状を有するものである。屋外側金属板１は、平板状の化粧面部１０と、化粧面部１０の下端部に連設された折り返しスカート部１１と、折り返しスカート部１１に連設された屋外側端縁部１２と、化粧面部１０の上端部に連設された凹段部１３と、凹段部１３の上端部に連設された屋外側折り返し部１４と、屋外側折り返し部１４に連設された補強部１９とを備えている。凹段部１３と屋外側折り返し部１４は化粧面部１０よりも屋内側に凹んでおり、凹段部１３と屋外側折り返し部１４の屋外側の空間は、折り返しスカート部１１が収納される収納部１６となっている。また、凹段部１３の上部には、さらに屋内側へ凹んだ第二凹段部１７が形成されており、この第二凹段部１７の屋外側の空間は、ビスや釘等の固定具４の頭部４０が収納される頭部収納凹部１８となっている。
【００１７】
屋外側折り返し部１４は、第二凹段部１７の上端部から上方に向けて突出し、その先端を屋内側に折り曲げ、その先端を下方に向けて突出させた、折り返し形状のものである。この屋外側折り返し部１４の屋内側面５２の下部には、屋外側に凹んだ被係止用凹部８が形成されている。この屋外側折り返し部１４の第二凹段部１７と連続していない側の端部から、補強部１９が屋内側に略水平に突出している。
【００１８】
折り返しスカート部１１は、化粧面部１０の下端から下方に向けて突出し、その先端を屋内側に折り曲げ、その先端を上方に向けて突出させた、上下方向に細長い断面略Ｕ字状のものである。この折り返しスカート部１１には、屋内側に略水平に突出する略水平部７０を介して屋外側端縁部１２が連設されている。屋外側端縁部１２は、屋内側ほど下方に位置するように傾斜させた傾斜部７３と、傾斜部７３の下端から屋外側に突出し、その先端を下側に折り曲げ、その先端を屋内側に向けて突出させた突出部７１と、を備えている。つまり、屋外側端縁部１２の下端部には、屋外側に突出する突出部７１からなる係止用凸部７が形成されている。なお、この屋外側端縁部１２の略水平部７０と連続していない側の端縁は、屋内側に略水平に突出する補強部１５となっている。
【００１９】
サンドイッチパネルＳの屋内側の金属板２（以下「屋内側金属板２」という）は、長さ方向の略全長に亘って一定の断面形状を有するものである。屋内側金属板２は、図１に示すように、平板部２０と、平板部２０の上端部に連設された屋内側第一折り返し部２１と、平板部２０の下端部に連設された屋内側第二折り返し部２２と、屋内側第二折り返し部２２に連接された屋内側端縁部２３とを備えている。屋内側第一折り返し部２１は平板部２０よりも屋外側に凹んでおり、屋内側第一折り返し部２１の屋内側の空間は屋内側第二折り返し部２２が収納される収納部２４となっている。屋内側端縁部２３は、屋内側第二折り返し部２２の屋外側上端縁から屋外側に略水平に略水平部７２が突出し、その先端が下方に向けて突出し、その先端から屋外側に略水平に補強部２５が突出してなる。屋内側第一折り返し部２１は、平板部２０の上端から屋外側に略水平に突出し、その先端から上方に向けて突出し、その先端を屋外側に折り曲げ、その先端を下方に向けて突出させ、その先端から屋外側に略水平に補強部２６を突出した、断面略Ｕ字状のものである。屋内側第二折り返し部２２及び屋内側端縁部２３は、屋外側端縁部１２と略同じ上下長さで形成されている。また、屋内側第一折り返し部２１は、屋外側折り返し部１４と略同じ上下長さで形成されている。
【００２０】
芯材３としては、ロックウールやグラスウールやセラミックファイバーなどの無機繊維体及びウレタンフォームやフェノールフォームなどの樹脂発泡体等を例示することができる。特に、芯材３は断熱性能と共に耐火性能をも有するロックウールやグラスウールやフェノールフォームを用いるのが好ましい。また、芯材３は角材のようなブロック状に形成することができると共に芯材３は密度が通常２０〜４００ｋｇ／ｍ３のものを用いることができるが、１２０〜２００ｋｇ／ｍ３のものを用いるのが好ましい。
【００２１】
芯材３のうち、屋外側端縁部１２と屋内側端縁部２３の間に配置される端部芯材３０と、第二凹段部１７とその屋内側の屋内側金属板２との間に配置される端部芯材３０としては、硬質であり、且つ耐火性を有する石膏ボードや珪酸カルシウム等の無機質材料が好適に用いられる。なお、端部芯材３０は、上述した芯材３と同じものであってもよい。
【００２２】
そして、本実施形態のサンドイッチパネルＳを形成するにあたっては、屋外側金属板１の両端の略水平部（補強部１５，１９）と屋内側金属板２の両端の略水平部（補強部２５，２６）とを略同じ高さに位置合わせするようにして屋外側金属板１と屋内側金属板２とを対向配置する。次いで、第二凹段部１７の下端と折り返しスカート部１１の上端との間に芯材３を介装させるとともに、第二凹段部１７の上端から下端の間と屋外側端縁部１２の上端から下端の間に端部芯材３０を介装させる。屋外側金属板１と屋内側金属板２とを芯材３と端部芯材３０とに接着することによって、屋外側金属板１と屋内側金属板２の間に芯材３と端部芯材３０とを充填したサンドイッチパネルＳが形成される。
【００２３】
以上のようにして形成されるサンドイッチパネルＳの上端部には、屋外側折り返し部１４からなる嵌合凸部５（以下、この嵌合凸部５を「屋外側嵌合凸部５０」という）と、屋内側第一折り返し部２１からなる嵌合凸部５（以下、この嵌合凸部５を「屋内側嵌合凸部５１」という）とを備える。屋外側嵌合凸部５０と屋内側嵌合凸部５１とは、パネル厚み方向に所定の間隔を置いて配置されている。そして、サンドイッチパネルＳの下端部には、折り返しスカート部１１を屋外側の側壁６２とし、屋外側端縁部１２を屋内側の側壁６３とする嵌合凹部６（以下、この嵌合凹部６を「屋外側嵌合凹部６０」という）と、屋内側端縁部２３を屋外側の側壁６２とし、屋内側第二折り返し部２２を屋内側の側壁６３とする嵌合凹部６（以下、この嵌合凹部６を「屋内側嵌合凹部６１」）という）を備える。屋外側嵌合凹部６０と屋内側嵌合凹部６１とは、屋外側嵌合凸部５０と屋内側嵌合凸部５１に対応するように、パネル厚み方向に所定の間隔を置いて配置されている。そのため、屋外側嵌合凹部６０には屋外側嵌合凸部５０が嵌合され、屋内側嵌合凹部６１には屋内側嵌合凸部５１が嵌合される。また、本実施形態では、屋外側嵌合凸部５０の屋内側面５２に被係止用凹部８を備え、屋外側嵌合凹部６０の屋内側の側壁６３の屋外側面６４に係止用凸部７を備える。ここで、屋外側端縁部１２と屋内側端縁部２３の間に充填する端部芯材３０を硬質な芯材とすることで、屋外側端縁部１２の強度を向上させることができ、これにより係止用凸部７の変形を抑制できる。また、第二凹段部１７の屋内側に充填する端部芯材３０を硬質な芯材とすることで、この端部芯材３０を土台とする屋外側折り返し部１４と屋内側第一折り返し部２１の強度を向上させて、嵌合の際に変形しにくくすることができる。
【００２４】
上記のサンドイッチパネルＳを施工するにあたっては、１枚のサンドイッチパネルＳを胴縁等の下地材１００の屋外側面に配置し、第二凹段部１７の底面から釘やビス等の固定具４を打ち込んで、下地材１００にまで貫通する。ここで、サンドイッチパネルＳのうち固定具４を打ち込む箇所に充填する端部芯材３０を硬質な芯材とすることで、サンドイッチパネルＳを下地材１００に対して強固に固定することができる。次に、取り付けたサンドイッチパネルＳの上側から、他のサンドイッチパネルＳを近づけ、下側のサンドイッチパネルＳの嵌合凸部５に上側のサンドイッチパネルＳの嵌合凹部６を嵌合させる。この時、上側のサンドイッチパネルＳの折り返しスカート部１１は下側のサンドイッチパネルＳの収納部１６に位置して収納され、上側のサンドイッチパネルＳの屋内側第二折り返し部２２は下側のサンドイッチパネルＳの収納部２４に位置して収納される。以上のようにして上下に隣接するサンドイッチパネルＳを凹凸嵌合により接続しながら複数枚のサンドイッチパネルＳを縦横に並べて施工することで、外壁を形成できる。なお、固定具４の頭部４０は、頭部収納凹部１８内に納められると共にこの頭部４０は収納部１６に収納された折り返しスカート部１１で覆われるため、屋外側から見えなくできる。また、図示は省略しているが、上側のサンドイッチパネルＳの補強部１５と下側のサンドイッチパネルＳの補強部１９の間と、上側のサンドイッチパネルＳの補強部２５と下側のサンドイッチパネルＳの補強部２６の間と、屋外側嵌合凸部５０の上端面と屋外側嵌合凹部６０の底面（略水平部７０）との間と、屋内側嵌合凸部５１の上端面と屋内側嵌合凹部６１の底面（略水平部７２）との間には、セラミックファイバー等の耐火材や防水パッキンが挟まれる。これにより接続部分の耐火性や水密性を高めることができる。なお、上側のサンドイッチパネルＳの補強部１５と下側のサンドイッチパネルＳの補強部１９の間と、上側のサンドイッチパネルＳの補強部２５と下側のサンドイッチパネルＳの補強部２６の間に挟まれる耐火材は、補強部１５から補強部２５に亘って設けられることが好ましい。
【００２５】
以上のようにして嵌合凸部５と嵌合凹部６との凹凸嵌合によって接続されたサンドイッチパネルＳでは、屋外側嵌合凸部５０の屋内側面５２の被係止用凹部８と、屋外側嵌合凹部６０の屋内側の側壁６３の屋外側面６４の係止用凸部７とが、パネル厚み方向に距離をおいて対向している。
【００２６】
この接続状態にあるサンドイッチパネルＳでは、サンドイッチパネルＳは、上端部は固定具４によって下地材１００に固定されているものの、下端部は凹凸嵌合によってのみ保持されている。そのため、この接続状態にあるサンドイッチパネルＳに負の風荷重が強くかかると、図２に示すように、上側のサンドイッチパネルＳの下端部が、下側のサンドイッチパネルＳとの嵌合位置から屋外側上方へとずれる場合がある。
【００２７】
このように上側のサンドイッチパネルＳの下端部が屋外側へとずれる場合に、本実施形態では、屋外側嵌合凹部６０に設けた係止用凸部７が、屋外側嵌合凸部５０に設けた被係止用凹部８に係止される。これにより、本実施形態では、上側のサンドイッチパネルＳの下端部の嵌合凹部６が、下側のサンドイッチパネルＳの上端部の嵌合凸部５を屋外側へと乗り越えることを抑制でき、接続状態にある２枚のサンドイッチパネルＳの接続が外れてしまうことを抑制できる。なお、上述のように屋外側端縁部１２と屋内側端縁部２３の間に充填する端部芯材３０を硬質な芯材とすることで、被嵌合凹部８に係止する際の係止用凸部７の変形を抑制できるため、被係止用凹部８に対して係止用凸部７をより確実に係止させることができる。
【００２８】
また、本実施形態においては、嵌合凸部５（屋外側嵌合凸部５０）の屋内側面５２のうち、上部ではなく下部に被係止用凹部８を設けたことで、ここに係止する係止用凸部７を下部に備えた嵌合凹部６（屋外側嵌合凹部６０）が、接続状態にあるサンドイッチパネルＳに負の風荷重が強くかかった場合に、上方へとずれにくい。そのため、嵌合凸部５（屋外側嵌合凸部５０）の屋内側面５２のうち、嵌合凹部６（屋外側嵌合凹部６０）によって屋外側へ押される箇所が、上方へとずれることを抑制でき、この嵌合凸部５（屋外側嵌合凸部５０）を屋外側に倒す方向にかかるモーメントが大きくなることを抑えることができる。これにより、本実施形態では嵌合凸部５（屋外側嵌合凸部５０）が屋外側へと倒れにくく、接続状態にある２枚のサンドイッチパネルＳの接続がより外れにくくなっている。
【００２９】
なお、本実施形態では、係止用凸部７と被係止用凹部８とは、嵌合凸部５と嵌合凹部６とが嵌合した嵌合位置において、サンドイッチパネルＳの厚み方向にずれて上下に重ならない位置関係となるように形成されている。そのため、鉛直下向きに嵌合凹部６を嵌合凸部５に嵌め込む際や、鉛直上向きに嵌合凸部５から嵌合凹部６を引き抜く際に、係止用凸部７が嵌合凹部６に引っ掛かりにくい。これにより、本実施形態では、隣接するサンドイッチパネルＳの接続や、位置調整等のための隣接するサンドイッチパネルＳの接続解除を、係止用凸部７に邪魔されることなく、簡単に行うことができる。
【００３０】
続いて、図３に示す第二実施形態のサンドイッチパネルＳの接続構造について説明する。第二実施形態では、補強片９を備えている点でのみ第一実施形態と異なる。なお、図３には、第一実施形態のサンドイッチパネルＳと同じ構成には同じ符号をつけている。
【００３１】
補強片９は、図３（ａ）に示すように、最も屋外側に位置する嵌合凸部５（つまりは屋外側嵌合凸部５０）の屋外側面５３に配置されて、この嵌合凸部５（屋外側嵌合凸部５０）が屋外側に倒れることを防止する。詳しくは、補強片９は、図３（ａ）及び図３（ｂ）に示すように、第二凹段部１７の屋外側面（底面）に固定される固定板部９０と、屋外側折り返し部１４の屋外側面５３に沿うように配置される抑え板部９１とを備える。固定板部９０と抑え板部９１とは連続して一体に形成されており、固定板部９０には固定具４が挿通される挿通孔９２が設けられている。
【００３２】
補強片９は、固定具４によって固定板部９０が第二凹段部１７の屋外側面に固定されると、抑え板部９１が屋外側折り返し部１４の屋外側面５３の屋外側に位置する。これにより、サンドイッチパネルＳに負の風荷重がかかった際、この補強片９によって屋外側嵌合凸部５０が屋外側嵌合凹部６０の屋内側の側壁６３に押されて屋外側へと倒れることを抑制できる。ここで、屋外側嵌合凸部５０を屋外側へと倒れにくくしたことで、屋外側嵌合凸部５０に備える被係止用凹部８が変形しにくく、被係止用凹部８と係止用凸部７との係止強さを確保できる。また、屋外側嵌合凸部５０を屋外側へと倒れにくくしたことで、屋外側嵌合凸部５０が倒れて屋外側嵌合凸部５０の上下長さが短くなることを防止できるため、屋外側嵌合凹部６０と屋外側嵌合凸部５０との嵌合深さを確保できる。このように係止強さと嵌合深さとを確保することで、第二実施形態のサンドイッチパネルＳの接続構造では、負の風荷重によって、凹凸嵌合により接続したサンドイッチパネルの接続が外れてしまうことをさらに抑制することができる。
【００３３】
なお、上述した第一実施形態のサンドイッチパネルＳでは、屋外側嵌合凸部５０に被係止用凹部８を設け、屋外側嵌合凹部６０に係止用凸部７を設けていたが、係止用凸部７と被係止用凹部８とを設ける位置はこれに限らない。
【００３４】
すなわち、図４（ａ）に示す第三実施形態のサンドイッチパネルＳのように、屋外側嵌合凸部５０ではなく屋内側嵌合凸部５１に被係止用凹部８を設け、屋外側嵌合凹部６０ではなく屋内側嵌合凹部６１に係止用凸部７を設けるようにしてもよい。つまり、屋内側嵌合凸部５１の屋内側面５２に被係止用凹部８を備え、屋内側嵌合凹部６１の屋内側の側壁６３の屋外側面６４に係止用凸部７を備えるようにしてもよい。なお、図４（ａ）には、第一実施形態のサンドイッチパネルＳと同じ構成には同じ符号をつけている。このような構成とすることによっても、凹凸嵌合により接続したサンドイッチパネルＳの接続が外れてしまうことを抑制できる。また、図４（ａ）には図示していないが、補強片９を屋外側嵌合凸部５０の屋外側面５３に取り付け、接続が外れることをさらに抑制するようにしてもよい。なお、第二凹段部１７の屋内側に充填する端部芯材３０を硬質な芯材とすることで、この端部芯材３０を土台とする屋内側第一折り返し部２１の強度を向上させて、嵌合の際にこの屋内側第一折り返し部２１に備える被係止用凹部８が変形することを抑制できる。
【００３５】
また、図４（ｂ）に示す第四実施形態のサンドイッチパネルＳのように、屋外側嵌合凸部５０と屋内側嵌合凸部５１の両方に被係止用凹部８を設け、屋外側嵌合凹部６０と屋内側嵌合凹部６１の両方に係止用凸部７を設けるようにしてもよい。つまり、屋外側嵌合凸部５０と屋内側嵌合凸部５１の屋内側面５２に被係止用凹部８を備え、屋外側嵌合凹部６０と屋内側嵌合凹部６１の屋内側の側壁６３の屋外側面６４に係止用凸部７を備えるようにしてもよい。なお、図４（ｂ）には、第一実施形態のサンドイッチパネルＳと同じ構成には同じ符号をつけている。このような構成とすることで、２箇所で係止することとなり、凹凸嵌合により接続したサンドイッチパネルの接続が外れてしまうことをさらに抑制することができる。また、図４（ｂ）には図示していないが、補強片９を屋外側嵌合凸部５０の屋外側面５３に取り付けて、接続が外れることをさらに抑制するようにしてもよい。なお、屋外側端縁部１２と屋内側端縁部２３の間に充填する端部芯材３０を硬質な芯材とすることで、屋外側の被嵌合凹部８に係止する際の係止用凸部７の変形を抑制できるため、この被係止用凹部８に対して係止用凸部７をより確実に係止させることができる。また、第二凹段部１７の屋内側に充填する端部芯材３０を硬質な芯材とすることで、この端部芯材３０を土台とする屋外側折り返し部１４と屋内側第一折り返し部２１の強度を向上させて、嵌合の際にこの屋外側折り返し部１４と屋内側第一折り返し部２１にそれぞれ備える被係止用凹部８が変形することを抑制できる。
【００３６】
以上まとめると、第一乃至第四実施形態のサンドイッチパネルの接続構造では、２枚の金属板１，２の間に芯材３を介装したサンドイッチパネルＳの一方の端部に複数の嵌合凸部５をパネル厚み方向に所定の間隔をおいて設けている。このサンドイッチパネルＳの他方の端部に複数の嵌合凹部６をパネル厚み方向に所定の間隔をおいて設けている。隣接する２枚のサンドイッチパネルＳを嵌合凸部５と嵌合凹部６との嵌合により接続している。そして、少なくとも１つの嵌合凹部６の屋内側の側壁６３の屋外側面６４に係止用凸部７を設け、この嵌合凹部６に嵌合する嵌合凸部５の屋内側面５２に、この嵌合凹部６が嵌合位置から屋外側にずれた際に係止用凸部７が係止される被係止用凹部８を設けている。
【００３７】
このような構成とすることで、嵌合により接続された２枚のサンドイッチパネルＳに負の風荷重がかかった際に、嵌合凹部６が嵌合位置から屋外側にずれると、嵌合凹部６に設けた係止用凸部７が嵌合凸部５に設けた被係止用凹部８に係止される。このように負の風荷重がかかった場合に嵌合凹部６が嵌合凸部５に係止されるようにしたことで、嵌合凹部６が嵌合凸部５を屋外側に乗り越えることを抑制でき、凹凸嵌合による接続が外れにくくなっている。
【００３８】
また、第二実施形態のサンドイッチパネルの接続構造では、複数の嵌合凸部５のうち最も屋外側に位置する嵌合凸部５の屋外側面５３に、この嵌合凸部５が屋外側に倒れることを防止するための補強片９を取り付けている。
【００３９】
このような構成とすることで、嵌合により接続された隣接する２枚のサンドイッチパネルＳに負の風荷重がかかった際に、嵌合凹部６の屋内側の側壁６３が最も屋外側に位置する嵌合凸部５を屋外側に押し倒そうとした場合に、補強片９によって嵌合凸部５が屋外側に倒れることを防止できる。このように最も屋外側に位置する嵌合凸部５を屋外側へと倒れにくいようにすることで、嵌合凸部５に設けた被係止用凹部８と嵌合凹部６に設けた係止用凸部７が、強く係止し合うことを促進できる。また、嵌合凹部６と嵌合凸部５との嵌合深さが浅くなることも抑制できる。このように係止強さを確保するとともに嵌合凹部６と嵌合凸部５との嵌合深さを確保することによって、第二実施形態のサンドイッチパネルの接続構造では、嵌合凹部６が嵌合凸部５を屋外側へと乗り越えることをより抑制でき、凹凸嵌合による接続がさらに外れにくくできる。
【００４０】
なお、上述の説明では、嵌合凸部５と嵌合凹部６をそれぞれ２つずつ備えたサンドイッチパネルＳについて説明したが、サンドイッチパネルＳは、嵌合凸部５と嵌合凹部６とを３つずつまたはそれ以上備えていてもかまわない。
【００４１】
また、係止構造（係止用凸部及び被係止用凹部）は、嵌合により接続するサンドイッチパネルの嵌合凸部と嵌合凹部のうち、負の風荷重がかかった際に接触する箇所に設ければよく、嵌合凸部と嵌合凹部の形状に合わせて、係止構造を設ける箇所は多様に変更できる。
【００４２】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００４３】
１      金属板（屋外側金属板）
２      金属板（屋内側金属板）
３      芯材
５      嵌合凸部
６      嵌合凹部
７      係止用凸部
８      被係止用凹部
９      補強片
５２    屋内側面
５３    屋外側面
６３    側壁
６４    屋外側面
Ｓ      サンドイッチパネル
【要約】
【課題】負の風荷重がかかった場合でも、凹凸嵌合による接続が外れにくいサンドイッチパネルの接続構造を提案すること。
【解決手段】本発明のサンドイッチパネルの接続構造では、２枚の金属板１，２の間に芯材３を介装したサンドイッチパネルＳの一方の端部に複数の嵌合凸部５をパネル厚み方向に所定の間隔をおいて設けている。サンドイッチパネルＳの他方の端部には複数の嵌合凹部６をパネル厚み方向に所定の間隔をおいて設けている。この嵌合凸部５と嵌合凹部６との嵌合により、隣接する２枚のサンドイッチパネルＳを接続している。そして、少なくとも１つの嵌合凹部６の屋内側の側壁６３の屋外側面６４に係止用凸部７を設け、この嵌合凹部６に嵌合する嵌合凸部５の屋内側面５２に、この嵌合凹部６が嵌合位置から屋外側にずれた際に係止用凸部７が係止される被係止用凹部８を設けている。
【選択図】図１【図１】
0005203519.tif 000002
【図２】
0005203519.tif 000003
【図３】
0005203519.tif 000004
【図４】
0005203519.tif 000005
【図５】
0005203519.tif 000006